(57)【要約】【課題】ユーザが楽しみながら、携帯端末の操作やコンテンツの閲覧などを行うことを可能とする。【解決手段】携帯端末（圧力センサ付き携帯端末）１０の情報入力手段として、押圧による圧力を検出することが可能な圧力センサを内蔵した圧力センサ内蔵グリップ部１１を配置する。携帯端末を用いるユーザが、携帯端末を把持して握る動作を行った場合、当該握る動作による圧力が圧力センサに印加され、圧力センサから携帯端末内部のＣＰＵに圧力の強さを示す信号が供給されて、ＣＰＵは、その信号に応じた情報処理を行う。例えば、圧力が印加された場合、印加される圧力の強さに応じたコンテンツを表示したり、印加される圧力の強さに応じて、情報の種類を選択してＩｒＤＡ部１７から送信したりする。【選択図】        図１
2004177993.tif 000002
【特許請求の範囲】
【請求項１】
情報入力手段として、当該携帯端末に印加される圧力の強さを計測する圧力センサを有する圧力センサ付き携帯端末。
【請求項２】
前記圧力センサが前記圧力の強さを計測した場合、計測結果を信号として出力するよう構成されている請求項１に記載の圧力センサ付き携帯端末。
【請求項３】
前記圧力センサから供給される前記信号に応じて、情報処理を行うことが可能な処理手段を有する請求項２に記載の圧力センサ付き携帯端末。
【請求項４】
前記圧力センサから供給される前記信号と、前記処理手段による前記情報処理との対応関係が設定され、前記対応関係に従って、前記処理手段が、前記圧力の強さに応じた前記情報処理を行うよう構成されている請求項３に記載の圧力センサ付き携帯端末。
【請求項５】
前記圧力の強さに応じた前記情報処理によって、画像情報を出力することが可能な表示手段を有する請求項４に記載の圧力センサ付き携帯端末。
【請求項６】
前記圧力の強さに応じた前記情報処理によって、音声情報を出力することが可能な音声出力手段を有する請求項４に記載の圧力センサ付き携帯端末。
【請求項７】
前記圧力の強さに応じた前記情報処理によって、情報を選択的に送信することが可能な情報送信手段を有する請求項４に記載の圧力センサ付き携帯端末。
【請求項８】
前記処理手段による前記情報処理を可能とするプログラムを格納することが可能な格納手段を有する請求項３から７のいずれか１つに記載の圧力センサ付き携帯端末。
【請求項９】
前記圧力センサから供給される前記信号と、前記処理手段による前記情報処理との対応関係の設定を行うプログラムを格納することが可能な格納手段を有する請求項４から７のいずれか１つに記載の圧力センサ付き携帯端末。
【請求項１０】
前記画像情報又は前記音声情報を外部から取得可能とする無線通信手段を有する請求項５又は６に記載の圧力センサ付き携帯端末。
【請求項１１】
前記プログラムを外部から取得可能とする無線通信手段を有する請求項８又は９に記載の圧力センサ付き携帯端末。
【請求項１２】
当該携帯端末を手で把持して握る動作をした場合に、前記握る動作によって発生する圧力を検出することが可能な位置に、前記圧力センサが配置された請求項１から１１のいずれか１つに記載の圧力センサ付き携帯端末。
【請求項１３】
当該携帯端末の一方の側面、及び、前記一方の側面に対向する他方の側面に、それぞれ１つずつ前記圧力センサが配置された請求項１２に記載の圧力センサ付き携帯端末。
【請求項１４】
情報入力手段として、圧力を検出する圧力センサを有し、前記圧力センサが、前記圧力を検出した場合に信号を出力するよう構成されている圧力センサ付き携帯端末により実行可能なプログラムであって、
前記圧力センサが出力する前記信号に応じて、情報処理を行う圧力センサ付き携帯端末により実行可能なプログラム。
【請求項１５】
前記圧力センサから供給される前記信号と、行うべき前記情報処理との対応関係に従って、前記圧力の強さに応じた前記情報処理を行うことを可能とする請求項１４に記載の圧力センサ付き携帯端末により実行可能なプログラム。
【請求項１６】
前記信号に応じて、表示手段からの画像情報の表示、又は、音声出力手段からの音声情報の出力を行うことを可能とする請求項１４又は１５に記載の圧力センサ付き携帯端末により実行可能なプログラム。
【請求項１７】
前記信号に応じて、情報送信手段から情報を選択的に送信することを可能とする請求項１４から１６のいずれか１つに記載の圧力センサ付き携帯端末により実行可能なプログラム。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｃｅ：携帯情報端末）などの携帯端末及び携帯端末により実行可能なプログラムに関する。
【０００２】
【従来の技術】
従来、携帯電話機やＰＤＡなどの携帯端末は、ボタン、ダイヤル、タッチペン、マウス、キーボードなどの情報入力手段（本明細書では、操作手段とも呼ぶ）を有しており、この情報入力手段を用いて、携帯端末を用いるユーザが文書の入力や情報処理の指示などを行えるようになっている。例えば、情報入力手段としては、下記の特許文献１や特許文献２に記載されている入力用のボタンや、下記の特許文献３に記載されている入力用のペンなどが知られている。
【０００３】
【特許文献１】
特開２００２−１０９９８７号公報（図５）
【特許文献２】
特開２００２−１５２３６８号公報（図１）
【特許文献３】
特開２００１−５１７８２号公報（図２）
【０００４】
【発明が解決しようとする課題】
しかしながら、こうした情報入力手段のほとんどが、操作性を追求した結果、非常に味気ないユーザインターフェイスになってしまっているという問題がある。また、従来の情報入力手段は、主にＯＮ／ＯＦＦの２値入力しかできないという問題がある。
【０００５】
上記問題に鑑み、本発明では、ユーザが楽しみながら、携帯端末の操作、コンテンツの閲覧、携帯端末からの情報の送信などを行うことを可能とする圧力センサ付き携帯端末及び圧力センサ付き携帯端末により実行可能なプログラムを提供することを目的とする。
【０００６】
【課題を解決するための手段】
上記目的を達成するため、本発明の圧力センサ付き携帯端末は、情報入力手段として、当該携帯端末に印加される圧力の強さ（圧力値）を計測する圧力センサを有している。
この構成により、当該圧力センサ付き携帯端末を用いるユーザは、携帯端末の所定の箇所に圧力を印加することによって、情報の入力を行うことが可能となる。これによって、携帯端末で実行される各コンテンツの楽しみ方、携帯端末の操作の楽しみ方が広がる。
【０００７】
さらに、本発明は、上記発明において、圧力センサが、圧力の強さを計測した場合、計測結果を信号として出力するよう構成されている。
この構成により、圧力センサを利用して入力された情報が、処理可能な信号として、当該圧力センサ付き携帯端末内部に供給されるようにすることが可能となる。
【０００８】
さらに、本発明は、上記発明において、圧力センサから供給される信号に応じて、情報処理を行うことが可能な処理手段を有している。
この構成により、圧力センサ付き携帯端末は、圧力センサを利用して入力された情報に応じた処理を行うことが可能となる。
【０００９】
さらに、本発明は、上記発明において、圧力センサから供給される信号と、処理手段による情報処理との対応関係が設定され、この対応関係に従って、処理手段が、圧力の強さに応じた情報処理を行うよう構成されている。
この構成により、例えば、圧力センサに印加される圧力の強弱を複数段階に分類して検出し、各段階に応じて異なる信号が当該圧力センサ付き携帯端末内部に供給されるようにすることが可能となる。
【００１０】
さらに、本発明は、上記発明において、圧力の強さに応じた情報処理によって、画像情報を出力することが可能な表示手段を有している。
この構成により、圧力センサから供給された信号に応じて、様々な画像を表示することが可能となる。
【００１１】
さらに、本発明は、上記発明において、圧力の強さに応じた情報処理によって、音声情報を出力することが可能な音声出力手段を有している。
この構成により、圧力センサから供給された信号に応じて、様々な音声を出力することが可能となる。
【００１２】
さらに、本発明は、上記発明において、前記圧力の強さに応じた前記情報処理によって、情報を選択的に送信することが可能な情報送信手段を有している。
この構成により、圧力センサから供給された信号に応じて、選択的に情報を送信することが可能となる。
【００１３】
さらに、本発明は、上記発明において、処理手段による情報処理を可能とするプログラムを格納することが可能な格納手段を有している。
この構成により、必要に応じて、格納手段からプログラムを読み出し、圧力センサを用いた圧力入力モードに移行することが可能となる。
【００１４】
さらに、本発明は、上記発明において、圧力センサから供給される信号と、処理手段による情報処理との対応関係の設定を行うプログラムを格納することが可能な格納手段を有している。
この構成により、必要に応じて、格納手段からプログラムを読み出し、ユーザの入力に応じた情報処理を参照して、その処理を行うことが可能となる。
【００１５】
さらに、本発明は、上記発明において、画像情報又は音声情報を外部から取得可能とする無線通信手段を有している。
この構成により、インターネットなどの外部ネットワークに接続し、様々な画像情報又は音声情報をダウンロードすることが可能となる。
【００１６】
さらに、本発明は、上記発明において、プログラムを外部から取得可能とする無線通信手段を有している。
この構成により、インターネットなどの外部ネットワークに接続し、様々なプログラムをダウンロードすることが可能となる。
【００１７】
さらに、本発明は、上記発明において、当該携帯端末を手で把持して握る動作をした場合に、握る動作によって発生する圧力を検出することが可能な位置に、前記圧力センサが配置されている。
この構成により、ユーザは、携帯端末を把持して握ることによって、圧力センサに対して圧力を印加することが可能となる。
【００１８】
さらに、本発明は、上記発明において、当該携帯端末の一方の側面、及び、一方の側面に対向する他方の側面に、それぞれ１つずつ圧力センサが配置されている。
この構成により、圧力印加以外の操作の邪魔にならず、かつ、ユーザが携帯端末を把持して握りやすい携帯端末の側面に圧力センサを配置することが可能となる。
【００１９】
また、上記目的を達成するため、本発明の圧力センサ付き携帯端末により実行可能なプログラムは、情報入力手段として、圧力を検出する圧力センサを有し、圧力センサが、圧力を検出した場合に信号を出力するよう構成されている圧力センサ付き携帯端末により実行可能なプログラムであって、
圧力センサが出力する信号に応じて、情報処理を行うことが可能なよう構成されている。
この構成により、圧力センサ付き携帯端末は、様々な圧力の印加の態様に応じた処理を行うことが可能となる。
【００２０】
さらに、本発明は、上記発明において、圧力センサから供給される信号と、行うべき情報処理との対応関係に従って、圧力の強さに応じた情報処理を行うことが可能なよう構成されている。
この構成により、例えば、圧力センサに印加される圧力の強弱を複数段階に分類して検出し、各段階に応じて異なる信号が当該圧力センサ付き携帯端末内部に供給されるようにすることが可能となる。
【００２１】
さらに、本発明は、上記発明において、信号に応じて、表示手段からの画像情報の表示、又は、音声出力手段からの音声情報の出力を行うことが可能なよう構成されている。
この構成により、圧力センサから供給された操作信号に応じて、様々な画像を表示したり、様々な音声を出力したりすることが可能となる。
【００２２】
さらに、本発明は、上記発明において、信号に応じて、情報送信手段から情報を選択的に送信することを可能とするよう構成されている。
この構成により、圧力センサから供給された信号に応じて、選択的に情報を送信することが可能となる。
【００２３】
【発明の実施の形態】
以下、図面を参照しながら、本発明の圧力センサ付き携帯端末及び圧力センサ付き携帯端末により実行可能なプログラムの実施の形態について説明する。図１は、本発明の圧力センサ付き携帯端末の正面図及び側面図である。図１に示す携帯端末１０（圧力センサ付き携帯端末１０）は、圧力センサ内蔵グリップ部１１、表示手段１２、操作手段（プッシュボタン）１３、送話口１４、受話口１５、アンテナ１６、ＩｒＤＡ（Ｉｎｆｒａｒｅｄ  Ｄａｔａ  Ａｓｓｏｃｉａｔｉｏｎ：赤外線インターフェイス）部１７を有している。
【００２４】
圧力センサ内蔵グリップ部１１は、内部に圧力センサ（後述の圧力センサ２７）を備え、外側をゴムや可塑性素材で保護した箇所であり、携帯端末１０を用いるユーザが手のひらや指などの身体の一部を用いて押圧して内部に配置された圧力センサに圧力を印加できるようになっており、圧力センサは、印加された圧力の強さ（圧力値）を検出することが可能である。図２は、本発明の圧力センサ付き携帯端末の圧力センサ内蔵グリップが印加される様子を示す模式図であり、左から右に、圧力センサ内蔵グリップ部１１に印加される圧力が強くなる様子が図示されている。
【００２５】
また、図１では、圧力センサ内蔵グリップ部１１が、携帯端末１０の一方の側面、及び、一方の側面に対向する他方の側面にそれぞれ１つずつ配置されている。このように、携帯端末を手で把持して握る動作をした場合に、握る動作によって発生する圧力を圧力センサが検出可能な位置や、他の操作及び表示の閲覧などの邪魔にならない位置に、圧力センサを配置することが好ましい。なお、圧力センサ内蔵グリップ部１１を任意の場所に配置することが可能である。
【００２６】
また、図１には、本発明の圧力センサ付き携帯端末１０として、携帯電話機を用いた場合が図示されており、携帯端末１０は、従来の携帯電話機と同様、ＬＣＤ（Ｌｉｑｕｉｄ  Ｃｒｙｓｔａｌ  Ｄｉｓｐｌａｙ：液晶ディスプレイ）などの表示手段１２、情報の入力を可能とする操作手段１３、音声の入力を可能とするマイクロホンが内蔵されている送話口１４、音声の出力を可能とするスピーカが内蔵されている受話口１５、通信を可能とするアンテナ１６、赤外線を使って無線でデータの送受信を行うことを可能とするＩｒＤＡ部１７を有している。なお、本発明の圧力センサ付き携帯端末１０として、ＰＤＡなどを用いることも可能である。
【００２７】
また、図３は、本発明の圧力センサ付き携帯端末の内部構成を示すブロック図である。図３に示す携帯端末１０は、表示手段１２、操作手段１３、アンテナ１６、ＣＰＵ（Ｃｅｎｔｒａｌ  Ｐｒｏｃｅｓｓｉｎｇ  Ｕｎｉｔ：中央処理手段）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、送受信手段２４、音声入力手段２５、音声出力手段２６、圧力センサ２７、Ａ／Ｄ変換手段（アナログ／デジタル変換手段）２８、ＩｒＤＡインターフェイス２９を有している。このうち、表示手段１２、操作手段１３、アンテナ１６は、図１に示すものと同一、圧力センサ２７は、図１に示す圧力センサ内蔵グリップ部１１の内部に備えられたものと同一、ＩｒＤＡインターフェイス２９は、図１に示すＩｒＤＡ部１７と同一である。
【００２８】
ＣＰＵ２１は、携帯端末１０内の主な制御、及び、各手段の動作制御を行う手段である。また、ＲＯＭ２２及びＲＡＭ２３は、情報格納手段であり、携帯端末１０で動作するプログラム、表示手段１２を用いて表示する画像情報（静止画情報及び動画情報）、音声出力手段２６を用いて出力する音声情報などを格納する手段である。また、送受信手段２４は、アンテナ１６を介して通信基地局や外部の装置との通信を行う手段であり、通話及びデータの送受信を可能とするものである。また、音声入力手段２５は、音声出力のためのマイクロホンであり、音声出力手段２６は、音声出力のためのスピーカである。また、Ａ／Ｄ変換手段２８は、圧力センサ２７が圧力を検出して出力したアナログ信号をデジタル信号に変換する手段である。
【００２９】
次に、図３に示す圧力センサ付き携帯端末１０の内部構成を参照しながら、本発明における動作について説明する。通常、携帯端末１０のユーザは、プッシュボタンなどの操作手段１３から情報を入力したり、音声認識などの機能を用いて、音声入力手段２５から操作の指示を声で入力したりすることが可能であるが、本発明は、ユーザが圧力センサ内蔵グリップ部１１を握って、圧力センサ２７を用いた情報入力を可能とするものである。
【００３０】
例えば、ＣＰＵ２１は、表示手段１２を用いて、所定のコンテンツに係る画像情報を表示した場合、そのコンテンツの表示と連動して、圧力センサを利用することが可能となる圧力入力モードに移行する。この圧力入力モードでは、ＣＰＵ２１は、Ａ／Ｄ変換手段２８を介して圧力センサ２７から供給される信号の監視を行う。
【００３１】
＜第１の実施の形態＞
以下、本発明に係る第１の実施の形態について説明する。この第１の実施の形態では、圧力センサ２７によりＯＮ／ＯＦＦ（入力の有無）が検出される場合について説明する。図４は、本発明の第１の実施の形態における圧力の印加により表示画面上のコンテンツが変化する様子を示す模式図である。まず、ＣＰＵ２１は、ＲＯＭ２２又はＲＡＭ２３などのメモリから所定の画像情報（［Ａ］：丸い顔の画像）を読み出して表示手段１２に表示し、圧力センサ２７による入力を可能とする圧力入力モードに移行する。
【００３２】
例えば、携帯端末１０を用いているユーザは、［Ａ］の表示画面を見ながら、圧力センサ内蔵グリップ部１１を把持、押圧して、内部の圧力センサ２７に圧力を印加する。圧力センサ２７は、この圧力を検出してアナログ信号として出力し、このアナログ信号は、Ａ／Ｄ変換手段２８によってデジタル信号に変換されてＣＰＵ２１に供給される。ＣＰＵ２１は、圧力の強さが所定の閾値を超えるか否かを常に監視し、圧力の強さが所定の閾値を超えた場合には、メモリから別の画像情報（［Ｂ］：押し潰された顔の画像）を読み出して表示手段１２に表示する。
【００３３】
なお、左右両側に配置された圧力センサ２７のそれぞれに印加される圧力を検知し、例えば、携帯端末１０の両側面に配置された圧力センサ２７のうち、右側のみ押圧された場合と左側のみ押圧された場合とでは、異なる画像情報（右側を押圧された場合には［Ｃ］：顔の右側が押し潰された画像、左側を押圧された場合には［Ｄ］：顔の左側が押し潰された画像）を表示手段１２に表示することも可能である。［Ａ］〜［Ｄ］の一連の画像によって、ユーザは、表示画面上の画像を圧縮する動作を行うことが可能となる。
【００３４】
以上、説明したように、本発明の第１の実施の形態によれば、圧力センサ２７を用いて、圧力が印加されたか否かを判断し、所定の閾値以下の圧力が印加された場合をＯＮ、それ以外をＯＦＦとするＯＮ／ＯＦＦの入力を検出することが可能となる。なお、表示画面の変化以外に、例えば、圧力の印加によって音声を変化させたり、その他の基本的な操作を行えるようにしたりすることも可能である。
【００３５】
＜第２の実施の形態＞
次に、本発明に係る第２の実施の形態について説明する。この第２の実施の形態では、圧力センサ２７によって検出される圧力の強さを参照して、ＩｒＤＡ部１７（ＩｒＤＡインターフェイス２９）を用いて通信相手となる端末（通信相手端末）に送信する情報を変えられるようにする場合について説明する。
【００３６】
まず、携帯端末１０は、所定の通信前段階処理を行い、ＩｒＤＡ部１７を用いて通信を行う通信相手端末とのＩｒＤＡリンクを確立する。そして、表示画面上に、ＩｒＤＡによる情報の送信が可能になった旨を表示し、圧力入力モードに移行する。ユーザによって圧力センサ２７に圧力が印加された場合、ＣＰＵ２１は、Ａ／Ｄ変換手段２８から供給される信号を基にして、印加された圧力の強さを検知する。そして、ＲＯＭ２２又はＲＡＭ２３などのメモリに格納されている設定情報を読み出し、その設定情報の記載に基づいて、当該圧力の強さに応じた情報を、ＩｒＤＡインターフェイス２９を介して通信相手端末に送信する。
【００３７】
図５は、本発明の第２の実施の形態における圧力の強さと、情報の送信パターンとの関係を示す相関図である。上記の設定情報には、例えば、図５に示すような相関が設定されている。図５には、縦軸に圧力の強さが示されており、この縦軸の圧力の強さに応じて、ＩｒＤＡインターフェイス２９から通信相手端末に対して送信される情報の種類が図示されている。この相関図によれば、圧力の強さに従って、ＩｒＤＡインターフェイス２９を介して送信される情報を３段階に分類することが可能となる。
【００３８】
圧力センサ２７が、圧力の強さＰ１以上で所定の強さＰ２に満たない圧力を所定の時間以上検知した場合、ＩｒＤＡインターフェイス２９を介して通信相手端末に電話番号（自局番号）を送信する。また、圧力センサ２７が、圧力の強さＰ２以上で所定の強さＰ３に満たない圧力を所定の時間以上検知した場合、さらに、ＩｒＤＡインターフェイス２９を介して通信相手端末にメールアドレス（メールアドレス）を送信する。また、圧力センサ２７が、圧力の強さＰ３以上の圧力を所定の時間以上検知した場合、さらに、ＩｒＤＡインターフェイス２９を介して通信相手端末に機密性の高い個人情報（住所、会社名、メモなどの文字情報、写真などの映像情報）を送信する。
【００３９】
すなわち、ユーザが圧力センサ内蔵グリップ部１１を握る圧力を変化させることによって、通信相手端末に対して送信する情報のパターンを下記のように変化させることが可能となる。
第１段階（圧力の強さＰ１以上Ｐ２未満）：電話番号を送信
第２段階（圧力の強さＰ２以上Ｐ３未満）：電話番号とメールアドレスを送信
第３段階（圧力の強さＰ３以上）：電話番号、メールアドレス、機密性の高い個人情報を送信
【００４０】
なお、ＩｒＤＡインターフェイス２９を介して送信する情報として、上記以外の設定を行うことも可能であり、また、圧力の強さ、分類の数なども任意に設定可能である。また、上記の実施の形態では、圧力の強さに応じてＩｒＤＡインターフェイス２９を介して送信する情報を変える態様について説明しているが、他の動作に関しても、本発明を適用することが可能である。
【００４１】
以上、説明したように、本発明の第２の実施の形態によれば、圧力センサ２７によって検出された圧力の強さを参照し、当該圧力の強さに応じた処理を行うことが可能となる。
【００４２】
また、携帯端末１０のＣＰＵ２１によって実行可能なプログラムをＲＯＭ２２又はＲＡＭ２３などのメモリに格納しておき、このプログラムをＣＰＵ２１で実行することにより、本発明を実現することも可能である。また、本発明に係るプログラムや圧力センサ２７による圧力の印加に応じて変化するコンテンツ（画像情報又は音声情報）などを送受信手段（無線通信手段）２４によって外部から取得することも可能である。また、本発明に係る圧力センサを携帯端末１０における基本操作（メールの送信、受話など、携帯端末１０で行われる通常の操作）の際にも利用可能とし、ＣＰＵ２１が、圧力センサ２７からの入力に応じて様々な処理を行えるようにすることも可能である。
【００４３】
また、携帯端末１０の圧力センサ内蔵グリップ部１１の内部に、圧力を電気に変換する発電手段を配置し、圧力センサ内蔵グリップ部１１に圧力が印加された場合、その圧力を電気に変換し、充電できるようにすることも可能である。これによって、自家発電が可能となり、圧力センサ内蔵グリップ部１１に印加された圧力から電気を作り、この電気を利用して携帯端末１０の諸動作を行えるようにすることが可能となる。
【００４４】
【発明の効果】
以上、説明したように、本発明によれば、携帯端末の情報入力手段として、当該携帯端末に印加される圧力の強さを検出することが可能な圧力センサを用いることにより、携帯端末で実行される各コンテンツの楽しみ方、携帯端末の操作の楽しみ方などが広がる。
【図面の簡単な説明】
【図１】本発明の圧力センサ付き携帯端末の正面図及び側面図
【図２】本発明の圧力センサ付き携帯端末の圧力センサ内蔵グリップが印加される様子を示す模式図
【図３】本発明の圧力センサ付き携帯端末の内部構成を示すブロック図
【図４】本発明の第１の実施の形態における圧力の印加により表示画面上のコンテンツが変化する様子を示す模式図
【図５】本発明の第２の実施の形態における圧力の強さと、情報の送信パターンとの関係を示す相関図
【符号の説明】
１０  携帯端末（圧力センサ付き携帯端末）
１１  圧力センサ内蔵グリップ部
１２  表示手段
１３  操作手段（プッシュボタン）
１４  送話口
１５  受話口
１６  アンテナ
１７  ＩｒＤＡ部
２１  ＣＰＵ
２２  ＲＯＭ
２３  ＲＡＭ
２４  送受信手段（無線通信手段）
２５  音声入力手段
２６  音声出力手段
２７  圧力センサ
２８  Ａ／Ｄ変換手段
２９  ＩｒＤＡインターフェイス
【図１】
2004177993.tif 000003
【図２】
2004177993.tif 000004
【図３】
2004177993.tif 000005
【図４】
2004177993.tif 000006
【図５】
2004177993.tif 000007